【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
三次元記憶媒体から情報を読み出すための方法であって、
２つの状態になりうる能動媒質を含む三次元記憶媒体であり、データユニットが、該媒体の所与の体積（volume）部分における前記２つの状態のうちの第１の状態と第２の状態との密度の間の比によって表され、データ列が、一連の前記データユニットによって表される、三次元記憶媒体を用いることと、
前記密度比の特性を示す検出可能な非線形光学応答を、前記体積部分において生じさせるように、前記記憶媒体の一体積部分を通して光束を集中させるように光を前記能動媒質に照射し、前記非線形光学応答がχ（ｎ）過程と関係し、ｎは２よりも大きく、前記非線形光学応答の伝達方向特性により、他の光信号から前記非線形光学応答を離すようにすることと、
前記体積部分に格納された情報を読み出すために、前記非線形光学応答を検出することと、
再生できるように、データ列を読み出すために該データ列を追跡することと、を含む方法。
【請求項２】
前記能動媒質が、スチルベン誘導体、アゾベンゼン誘導体、またはそれらの混合物を含む、請求項１に記載の方法。
【請求項３】
前記能動媒質が支持基材内に埋め込まれている、請求項２に記載の方法。
【請求項４】
前記能動媒質が前記支持基材内へとドープされる、請求項３に記載の方法。
【請求項５】
前記支持基材がポリマーである、請求項３に記載の方法。
【請求項６】
前記能動媒質が、前記支持基材と共重合させたモノマーである、請求項５に記載の方法。
【請求項７】
前記支持基材が、その上に照射される光と、前記非線形光学過程により発生する光とに対して透明である、請求項３〜６のいずれかに記載の方法。
【請求項８】
前記支持基材が、ポリエチレン、ポリプロピレン、ポリカーボネート、および／またはポリメチルメタクリレート（ＰＭＭＴｈｅ）、および／または他の透明なポリマー材料である、請求項３〜７のいずれかに記載の方法。
【請求項９】
前記照射光が、該照射光の３０μｍ以下の半径を有するスポットに集められる、請求項１〜８のいずれかに記載の方法。
【請求項１０】
前記照射光の強度は、発生する信号が前記照射光の強度から独立するのに十分なほど大きい、請求項１〜９のいずれかに記載の方法。
【請求項１１】
前記非線形的に発生した光信号が、(i)フィルター、プリズム、モノクロメーター、または当技術分野で既知の任意の他の光学要素による手法と、(ii)位相整合条件を満足する手法と、(iii)位相感度検波、低ノイズ増幅器、ロックイン増幅器、ボックスカー、ゲート平均法、または当技術分野で既知の任意の他の電子的方法による手法と、の少なくともいずれかを用いることによって、環境内に存在しうる他の光信号から分離される、請求項１〜１０のいずれかに記載の方法。
【請求項１２】
情報が読み出される前記体積部分における大きなフラックスは、（ａ）前記体積部分に２本以上の共線光ビームの焦点を合わせることと、（ｂ）それぞれが単色である２本以上の焦点を合わされた光ビームを交差させることと、の少なくともいずれかで達成する、請求項１〜１１のいずれかに記載の方法。
【請求項１３】
前記非線形光学過程が多光子蛍光過程である、請求項１〜１２のいずれかに記載の方法。
【請求項１４】
前記非線形光学過程が二光子蛍光過程である、請求項１３に記載の方法。
【請求項１５】
前記非線形過程が、コヒーレント反ストークス・ラマン散乱（ＣＡＲＳ）、縮退四光波混合（ＤＦＷＭ）、ラマン誘起カー効果分光法（ＲＩＫＥＳ）、および／または他の四光波混合過程から選ばれる、請求項１〜１２のいずれかに記載の方法。
【請求項１６】
前記記憶媒体の所定の体積部分に光スポットを向けるためのトラッキング・フィードバック信号により前記データ列を追跡する、請求項１〜１５のいずれかに記載の方法。
【請求項１７】
（ａ）前記光学記憶媒体内の一トラック上に、名目上、焦点を合わせられた読取スポットを向け、
（ｂ）軸方向および半径方向に連続的に前記読取スポットを動かし、
（ｃ）半径方向および軸方向における前記トラックからのそれぞれのオフセットに従って変化する振幅を有する信号を受け取り、
（ｄ）前記受け取った信号を用いて、半径方向および軸方向における前記トラックからのそれぞれのオフセットの方向を測定し、
（ｅ）それによって前記読取スポットの位置を調整することにより、前記光学記憶媒体におけるトラッキングエラーを補正することをさらに含む、請求項１６に記載の方法。
【請求項１８】
前記読取スポットを向けることが、その交差体積部が前記読取スポットを構成する少なくとも２つの光源を向けることを含む、請求項１７に記載の方法。
【請求項１９】
前記読取スポットを動かすことが、周期関数で前記読取スポットの位置を調整することを含む、請求項１７または１８に記載の方法。
【請求項２０】
前記周期関数が実質的にシヌソイドである、請求項１９に記載の方法。
【請求項２１】
前記信号を受け取ることが、
i）前記読取スポットを用いてデータ信号を読み取り、
ii）前記データ信号に周期的調整信号を乗じて調整データ信号を形成し、
iii）前記調整データ信号を低域フィルターにかけることを含む、請求項１７〜２０のいずれかに記載の方法。
【請求項２２】
前記低域フィルターにかけることが、前記調整データ信号を窓積分（window integration）することを含む、請求項２１に記載の方法。
【請求項２３】
検出された信号を解析して処理することと、そこから情報を読み出すこととをさらに含む、請求項１〜２２のいずれかに記載の方法。
【請求項２４】
三次元記憶媒体から情報を読み出すための装置（１００）であって、
２つの状態になりうる能動媒質を含む三次元記憶媒体（１０２）であり、データユニットが、前記媒体の所与の体積部分における前記２つの状態のうちの第１の状態と第２の状態との密度の間の比によって表され、データ列が、一連の前記データユニットによって表される三次元記憶媒体を取り付けるための取付部（２０２）と、
前記密度比の特性を示す検出可能な非線形光学応答はχ（ｎ）過程と関係し、ｎは２よりも大きく、前記非線形光学応答の伝達方向特性により、他の光信号から前記非線形光学応答を離すようにする前記非線形光学応答を、前記体積部分において生じさせるように、前記記憶媒体の一体積部分を通して光束を集中させるように光を前記能動媒質に照射するための、少なくとも１つのコヒーレント光源（１０４、１０６）と、
前記媒体から向かってくる光の光学的進路上に設けられ、他の光信号から前記非線形光学応答を分離するフィルター（１５２）と、
前記体積部分に格納された情報を読み出すために、前記非線形光学応答を検出するための検出器（１２０）と、
再生できるように、データ列を読み出すために該データ列を追跡するためのトラッキング装置（１２５）と、を備える装置。
【請求項２５】
前記非線形光学応答の特性が、予め決められた波長、偏光、またはこれら両方の特徴によって特徴づけられる、請求項２４に記載の装置。
【請求項２６】
前記少なくとも１つのコヒーレント光源が能動光源を含む、請求項２４に記載の装置。
【請求項２７】
前記能動光源がレーザーである、請求項２６に記載の装置。
【請求項２８】
前記少なくとも１つのコヒーレント光源が受動光源を含む、請求項２４に記載の装置。
【請求項２９】
検出された信号を解析して処理し、前記検出された信号から情報を読み出すためのアルゴリズムエラー検出器（１２８）をさらに含む、請求項２４〜２８のいずれかに記載の装置。
【請求項３０】
前記トラッキング装置（１２５）が、前記記憶媒体の所定の体積部分に光スポットを向けるためのトラッキング・フィードバック信号により前記データ列を追跡するようにされている、請求項２４〜２９のいずれかに記載の装置。
【請求項３１】
前記トラッキング装置（１２５）が、トラッキングエラーを補正するためのトラッキングエラー補正装置を含み、該トラッキングエラー補正装置が、
前記読取スポットの位置を調整するための位置調整器（３３２）と、
半径方向および軸方向におけるトラックからのそれぞれのオフセットに従って変化し、かつ半径方向および軸方向におけるトラックからのそれぞれのオフセットの方向を特定するようにデータ信号に応答する振幅を有する該データ信号を受け取るための制御偏差算出部（３３３）であり、オフセットを前記光学ユニットに送り込み、前記読取スポットの半径方向および軸方向の位置制御偏差を補正することができる、制御偏差算出部（３３３）と、を備える、請求項３０に記載の装置。
【請求項３２】
前記読取スポットが、前記トラック上に焦点を合わされた少なくとも２つの光源の交差体積部である、請求項３１に記載の装置。
【請求項３３】
前記位置調整器が、周期関数で前記読取スポットの位置を調整するようにされている、請求項３１に記載の装置。
【請求項３４】
前記周期関数が実質的にシヌソイドである、請求項３３に記載の装置。
【請求項３５】
前記制御偏差算出部が、
前記データ信号に周期的調整信号を乗じて調整データ信号を形成するための乗算器（３４０）と、
前記調整データ信号を低域フィルターにかけるためのローパスフィルター（３４１）と、を含む、請求項３１〜３４のいずれかに記載の装置。
【請求項３６】
前記ローパスフィルターが窓積分器（３４１）である、請求項３５に記載の装置。
【請求項３７】
光学記憶媒体の異なる層内に配置された複数のトラックを有する該光学記憶媒体においてトラッキングエラーを補正するための方法であって、
（ａ）前記光学記憶媒体内の一トラック上に、名目上、焦点を合わせられた読取スポットを向けるステップと、
（ｂ）軸方向および半径方向に連続的に前記読取スポットを動かすステップと、
（ｃ）半径方向および軸方向における前記トラックからのそれぞれのオフセットに従って変化する振幅を有する信号を受け取るステップと、
（ｄ）前記受け取った信号を用いて、半径方向および軸方向における前記トラックからのそれぞれのオフセットの方向を測定するステップと、
（ｅ）それによって前記読取スポットの位置を調整するステップと、を含む方法。
【請求項３８】
前記ステップ（ａ）が、その交差体積部が前記読取スポットを構成する少なくとも２つの光源を向けるステップを含むことと、前記ステップ（ｂ）が、前記読取スポットの位置を周期関数で調整するステップを含むことと、の少なくともいずれかを特徴とする、請求項３７に記載の方法。
【請求項３９】
前記周期関数が実質的にシヌソイドである、請求項３８に記載の方法。
【請求項４０】
前記ステップ（ｃ）が、
i）前記読取スポットを用いてデータ信号を読み取るステップと、
ii）前記データ信号に周期的調整信号を乗じて調整データ信号を形成するステップと、
iii）前記調整データ信号を低域フィルターにかけるステップと、を含む、請求項３７〜３９のいずれかに記載の方法。
【請求項４１】
前記ステップ（iii）が、前記調整データ信号を窓積分するステップを含む、請求項４０に記載の方法。
【請求項４２】
光学ヘッドによって光学記憶媒体内のトラックに向けられた焦点を合わされた読取スポットにより読み取られる、該光学記憶媒体の異なる層内に配置された複数のトラックを有する該光学記憶媒体において、トラッキングエラーを補正するためのエラー補正装置であって、
前記読取スポットの位置を調整するための位置調整器と、
半径方向および軸方向におけるトラックからのそれぞれのオフセットに従って変化し、かつ半径方向および軸方向におけるトラックからのそれぞれのオフセットの方向を特定するようにデータ信号に応答する振幅を有する該データ信号を受け取るための制御偏差部であり、オフセットを前記光学ヘッドに送り込み、前記読取スポットの半径方向および軸方向の位置制御偏差を補正することができる、制御偏差部と、を備えるエラー補正装置。
【請求項４３】
前記読取スポットが、前記トラック上に焦点を合わされた少なくとも２つの光源の交差体積部である、請求項４２に記載の装置。
【請求項４４】
前記位置調整器が、周期関数で前記読取スポットの位置を調整する、請求項４２または４３に記載の装置。
【請求項４５】
前記周期関数が実質的にシヌソイドである、請求項４４に記載の装置。
【請求項４６】
前記制御偏差部が、
前記データ信号に周期的調整信号を乗じて調整データ信号を形成するための乗算器と、
前記調整データ信号を低域フィルターにかけるためのローパスフィルターと、を含む、請求項４２〜４５のいずれかに記載の装置。
【請求項４７】
前記ローパスフィルターが窓積分器である、請求項４６に記載の装置。